(57)【要約】      （修正有）【課題】モミガラや竹皮を付加価値を高め生産の合理化を計る。【解決手段】モミガラや竹皮、木屑、鋸屑などを原料として地球釜に水と共に入れて２０気圧１６５〜２００℃に加熱すると炭素化繊維と制癌粗原料液が得られ、これを米糠やオカラに吸収して乾燥して粉末化したものを非ステロイドサホーニンやポリフェノール、カテキン、マンナン、多糖類を含む制癌免疫増強材が得られる。これにアスペルギリウス菌と尿素と炭素化繊維と栄養剤を入れたものを発酵すると有機肥料が得られる。また炭素化繊維を電気抵抗発熱体に加工すると融電加熱器や温室の暖房や風呂等に利用され、また電磁波吸収媒体や携帯電話電磁波吸収媒体として利用する。【選択図】図１
2005209599.tif 000002
【特許請求の範囲】
【請求項１】
モミガラや竹皮やカラ松の鋸屑チップ粉を地球釜で２０気圧ないしはそれ以上にして、温度１６５〜２００℃に加熱処理したものを瀘別して炭素化繊維と制癌濃縮液とを回収して、この炭素化繊維の電導性を利用して融雪器の発熱体や風呂場や室内の暖房用に利用し、また有機肥料や土壌の客土に利用する。また電磁波吸収体として携帯電話や電気器材に利用する事を特徴としたモミガラ、竹皮やカラ松などの高圧水蒸気加熱による利用法。
【発明の詳細な説明】
【技術分野】
【０００１】  本発明はモミガラ、竹皮、カラ松などの植物質を１６５℃で２０気圧の水蒸気で加熱処理し、これを瀘別して瀘液は濃縮乾燥して制癌剤の原料とし、瀘別した固形物のモミガラ炭素化繊維質を回収する。このモミガラ炭素化繊維は８０％の含水率のものでは電気抵抗値が厚み１０ｍ／ｍ、長さ１ｍで電流を通すと８０〜１６０Ωである。
また電流値は０．１アンペアー〜１アンペアーは電圧によって変化する導電性であり、これら黒鉛や炭素繊維を加えてブレンドしたモミガラ炭素化繊維は電導性を高める。
元来モミガラ炭素化繊維の含水繊維は通電によって含水分を加熱蒸発し、次第に電導性を低下するから安定性の上からも黒鉛と炭素繊維を混合する必要がある。【０００２】  またこれを利用するには雪害対策として帆立貝やカキガラの産業廃棄物を粉砕したものとモミガラ炭素化繊維を混合し散布すると、太陽光の照射によって溶雪作用がおこり雪は溶解水となって雪害を防ぐ。しかし、降雪量が多いと太陽光の照射エネルギーだけでは融解速度が遅く、また曇天の日には融解の電流を通すとモミガラ炭素化繊維に電流が流れてジュール熱で８０〜９０℃に温度が上昇すると、盛んに水蒸気を発生して水分は沸騰して水分は蒸発するが、電導体の炭素粉や黒鉛粉が混合されていると含水物が水蒸気となり、発散しても温度は引き続き加温される。これにグライコールを入れたり塩類を入れておくと電導性を増大し加熱は継続される。従って、この積雪地での溶雪速度を増加せしめるに、このモミガラ炭素化繊維を合成樹脂袋に密封して、これを積雪の上面中間に配列し、これに導線を接続して通電すると発熱して水蒸気を発生すると雪はこの水蒸気によって融解し、融解した水は炭素繊維袋に取り入れると連続的水蒸気発生と加熱温によって雪溶は速度をまして迅速に除雪する様になり、積雪が崩れても加熱は続くが水分が少なくなると水蒸気発生は止まる。このモミガラ炭素化繊維の電気抵抗値が高くなると次第に電流値は小さくなり、温度は３０〜５０℃で恒温化する事になると、依然として解雪は続き雪は無くなる事になる。この炭素化繊維は積雪部から自己的に上雪から融解しながら雪中に入り、水蒸気の源の雪水を補給しながら落下するので地面に接するまで融雪は続くので自動的に操作が行われる。【０００３】  この様にモミガラ炭素化繊維は粉末状の繊維であるから含水性に富み、断熱性を保持するのであるが、合成樹脂の発泡体の断熱材を炭素繊維袋の底部に接合しておくと、下面の熱伝導は遅くなり、温度調整が行われるから、布団状に炭素繊維袋を屋根上に敷き詰めると、その布団状上の降雪は加温されて炭素繊維に水を補給しながら水蒸気を発生し加温し、降雪しても雪は溜らない。従ってこれを菜園や花壇のビニールハウスの地面の土壌に設置すると、温室内が加温されて気温をあげて保温効果を発揮するので温室の湿度調整に役立つ効果がある。【０００４】  この炭素化繊維をナノ粒子に粉砕して、これを合成樹脂や導電性樹脂に混合してフィルム状に黒鉛と混合して導電性を高めると帯状加熱体が作られ、暖房用に利用される。
またこの電力としては、５〜２０ボルト、８０〜２００アンペアーの変圧器によって通電されて２０〜６０ｋｗの容量のものがよい結果を得る。業務用としての大型のものは５〜〜２０ボルト１００アンペアーの容量の変圧器が利用される。【０００５】  このモミガラの炭素化繊維は水蒸気加圧化される時は、６〜１２％の硅酸成分は網の目構造で、炭素化繊維の表面を包着し極めて安定した炭素化繊維で、形而変化は少ないので電気抵抗値の変化も少ないが、交流でも整流でも直流でも使用し得る。この電気抵抗媒体としてのモミガラ炭素化繊維、即ち石油を低温で加熱分解してシエール法で水素ガスを回収するときに副生するオイルカーボン粉を回収してモミガラの炭素化繊維と混合したものを抄紙機で抄紙した導電性紙も加熱紙としてまたカーボン電極としても使用され電池に利用される。【０００６】  またモミガラの主要な需要は物理的な押出機を通じて圧縮しモミガラを粉砕して加熱加圧したものを屈曲した押出ノズルからペレット状に加工すると共に、これを粉砕して粉末化したものを牛や豚等の飼料の増容飼料として使用され、またこれをアスペルギリウス菌で発酵して土壌改良材や飼料添加剤として利用されたほか、炭化して炭素物として利用されてきたが、生産量が多いので他は灰化して土壌改良等に使用され、海草の乾燥材に利用されてきたが、より付加価値の高い新企用途による生産性の合理化が要求されていた。【０００７】  そこで、まずモミガラをロータリーキルン又は電子レンジで加熱して有害農薬を揮酸せしめたものを２０気圧１６５℃の高圧水蒸気で加熱したものを瀘別し、瀘液は制癌剤に加工し、田七粉や脱農薬の米糠や大豆オカラに吸収せしめて乾燥し、健康食品の原料として加工し、瀘別した固形物のモミガラ炭素化繊維はこれにアスペルギリウス菌を混合して発酵して有機肥料に加工し、家庭園芸用客土に加工してまた脱臭剤の原料に加工する。
またこのモミガラ炭素化繊維にパルプガラス繊維、炭素繊維にパルプカーボン、黒鉛粉、ヘドロ繊維を混合して、これを抄紙機で抄造して薄葉紙を作り、これを導電紙に加工し薄葉紙と一般紙クラフト紙、再生紙を加熱凹凸紙を作り、この片面に野菜種子や稲種子を栄養剤と共に紙の突出面の先端に付着せしめたものを、アスペルギリウス菌を吸着したカーボン炭素化繊維パルプ紙を積合したものを圧着せしめた薄葉紙を巻取り、これを必要に応じて田圃や畑の上面に敷き詰めて水液をその上面より散布すると数日後には発芽してその植物は成長する。また炭素化繊維紙に尿素を含浸せしめておくとより成長が助長する。
またモミガラ炭素化繊維は発酵して有機肥料としてその成長を２０〜３０％向上せしめる。またモミガラ炭素化繊維は電気発熱体として利用され、これに電力を付与すると発熱体として温室栽培に於ける保温加熱体としても利用される。【０００８】  またこのモミガラの炭素化繊維をプラスチック袋に密封し、これを電極を一定間隔に取り付けると断熱性発熱袋として暖房用に利用され、また水分を与えると水蒸気を発生し温度を高めビニールハウス内を暖房する。
これを道路や屋根に架設すると解雪に利用され雪害の予防となる。
また炭素化繊維に芝種子を栄養剤とアスペルギリウス菌と共に混合したものを吹き付けによる芝生の殖生が可能となる。またこの炭素化繊維をリグニンやフルフラールやフリフラールアルコールとを加え、高圧プレスで加熱圧縮すると圧縮板タイルが出来、建材や加熱体に利用される。
またこの炭素化繊維を焼成ロータリーキルンで４５０℃で焼成した炭素化繊維は活性炭粉として吸着剤として汚水処理やし尿処理に脱臭浄化に利用され、これをバインダーで混合成型圧縮したものを焼成すれば活性炭錠剤ができ脱臭剤に利用される。
【背景技術】
【０００９】  モミガラは稲作の副生物として多量にできるが、モミガラをそのまま土壌と混合して農業用土を作る時は、硅酸植物である稲に於いて特に硅酸分が多く撥水性であるからなかなか発酵分解がおこらず土壌の通気生がよく土壌中に発生するエチレンガス過剰に対して酸化性となるから水分の吸収や養分の吸収や成長が悪く、窒素肥料も加水分解すれには多量に必要となるから、このモミガラをイックスツルダー圧縮して特殊ノズルから押し出して微粉末した粉末を土壌に混合したり飼料の添加剤として利用しているが、未処理のモミガラも多く焼成してモミガラ灰として土壌改良に利用しているが、ほかはほとんど産業廃棄物として棄却されている。
そこで、このモミガラを有効利用するために高圧水蒸気２０気圧１６５℃に加熱した炭素化繊維の４５〜５０％のものに加工すると、ほとんどの雑菌は死滅し無菌状態の炭素化繊維ができ、その表面には硅酸網のできた炭素化繊維が得られ、バチルス菌を加えて発酵せしめると菌の増殖巣として作用し、連作障害や根ぐされ病を改善し植物の成長率も客土ににすると２０〜３０％に増大する性質がある。【００１０】  ところが、現実に農家が使う土壌改良の有機質の多くは需要が制限され、価格が低廉であり需要と供給のバランスがとれないのが現実である。
そこでこの高圧水蒸気処理のモミガラ炭素化繊維の需要開拓を余儀なくされた。
このモミガラの炭素化繊維が比較的高い電導性である事を利用し発熱体として利用するには、その炭素化繊維の特徴を利用し発熱に伴う良好な含水性と撥水性と電気電導生を利用して発熱体としての利用、特に北国地方の雪害対策に利用し、また土壌凍結防止と他の積雪害防止に室温調整と温度調整に利用する。また水耕栽培へ利用するほか、家屋の屋根の積雪防止用の加熱体に利用する。また発酵炭素化繊維の脱臭性を利用し糞尿汚泥の発酵による加水分解と悪臭吸着により乾式分解に利用し、従来使用の貯溜式トイレの脱臭や畜産水産化物の脱臭と発酵肥料を作る事により需要バランスを確立する事にした。
【発明の開示】
【発明が解決しようとする課題】
【００１１】  モミガラを地球釜に入れて水蒸気で加圧して１６５℃で２０気圧で蒸解して瀘別し、瀘液は濃縮して制癌剤や忌避剤に加工し、固形物の炭素化繊維を脱水して含水率を調整して熱伝導体として通電材料に加工して各用途に分別利用する。【００１２】モミガラやカラ松樹皮及びカラ松廃材をチップ化したものを高圧処理する時１００〜１２０℃では真菌その他の細菌、ウィルスは一部生存する事があるので、１６５℃〜１７０℃の高圧水蒸気で加熱殺菌したモミガラ炭素化繊維を導電媒体や発酵有機肥料とした。そのためには地球釜を使用するが、地球釜の回転が毎時４〜７回とする時は回転軸から高圧水蒸気が瀘失することがあるので、鉛パッキングを使用してアスベストパッキングや硫化ゴムパッキングで抑えてグリスボックスホイルベアリングを螺合し、ダブルギヤーを取付け、その回転軸の内部空間に水蒸気パイプを取り付けて、そのパイプを通じて水蒸気を地球釜内に圧入して加熱するので、そのパイプの継手の接続点から水蒸気が漏れるのを焼鈍した銅鉛パッキングパイプとパイプを接合する。そしてベアリングに水蒸気が入らない様にグリスペーストとワイヤホイルを通じて遮断する。【００１３】  この地球釜で１６５℃２０気圧の水蒸気でモミガラを蒸解せしめる事により、モミガラ炭素化繊維を瀘別し同時に殺菌する。
出来たモミガラの炭素化繊維を導電性として電気抵抗を１０〜１５０Ω／ｃｍ／℃に作る。そして更に電気抵抗値をたかめるに、オイルカーボンや黒鉛粉を混合しまた合成樹脂や糖澱粉を接着剤としてモミガラ、カラ松の炭素化繊維に含浸乾燥させたものや、パルプ繊維にこの炭素化繊維と黒鉛やオイルカーボン粉を混合して抄紙した紙質を作り導電性を高める。またこれを発熱体として農業、野菜、園芸その他の栽培時の温度調節に使用する。
次にモミガラの炭素化繊維にアスペルギリウス菌を混合して発酵せしめて有機肥料を作ると共に、この有機肥料を脱臭剤に再加工して汚水の脱臭浄化材として利用する。
また凍結防止の保温パイプの熱源や屋根の積雪融解除去や温室栽培の湿度調節や温度調節についてテストする。
【課題を解決しようとする課題】
【００１４】  モミガラの高圧水蒸気で２０気圧１６５℃の温度で蒸解したモミガラは炭素化繊維に変化する。これを瀘別し瀘液は制癌剤原料に使用する。カラ松チップも同様に処理し制癌剤の原料に使用する。瀘別した固形物のモミガラ炭素化繊維は雑菌のほとんどが死滅し、無菌化した硅酸膜のついた炭素化繊維となり導電性となる。従ってこの導電性と脱臭性とができる炭素化繊維を発熱体として利用し、これを更に発熱温度をたかめる為に黒鉛やオイルカーボンを混合すると導電性が高められ、パルプや合成樹脂やゼラチンを入れてシート状やフィルム状に加工すると電熱体として利用されるが、モミガラの炭素化繊維自体粉体を道路や屋根に散布したものに電気を与えると含水繊維の水分を発熱によって蒸発し、水分を連続的に補給すれば持続的水蒸気の発生が行われ、温室内の温度を高め温度を調節するから冬期野菜や幼稲の育成に利用される。また積雪には袋にモミガラを入れて充填して通電すると発熱し、水蒸気を発生するから融雪装置として雪害を予防する溶解材として利用し、その溶解した雪水を発熱体に補給を調整して与えるといつまでも水蒸気が発生し、解雪が速やかに行われるのでそのテストを行う。
【００１５】  またパルプと炭素化繊維と黒鉛、オイルカーボンを混合した紙質は電池や電磁場吸収やガス吸着紙や発熱紙や室内空気の浄化吸着紙に利用される。
またこのモミガラ炭素化繊維はプラスチック袋に入れて密封し電極を差し込み、発熱布団として屋根や発酵木屑（鋸屑）乾式風呂に利用すると屋根の積雪を解雪し、道路の解雪に役立ち氷結道路にタイル状の張りに通電すると氷結体を解氷し自動車のスリップ事故を防止し、自動車や列車の窓ガラスの氷結防止に電気発熱体として利用される。
【発明の効果】
【００１６】  モミガラや竹皮の高圧水蒸気加熱した炭素化繊維は電導体を保持するから、通電によって家屋や農業温室の暖房と湿度調整ができ、更にこれに黒鉛、カーボン繊維オイルカーボンを混合す更に電導性が高くなる事によって電気抵抗体として利用される。
そして、この炭素化繊維を黒鉛、オイルカーボン、カーボン繊維を混合したものを袋に充填し、電気を印加する事によって断熱性のある水蒸気発生発熱体ができるので屋根や道路の除雪用融解加熱材として利用される。
【００１７】  またこの炭素化繊維を４５０℃のロータリーキルン内で焼成すると活性炭ができ、従来の公知の活性炭より歩留が倍増し焼却加熱費が半減し安価であるので、汚水や産業廃棄物の脱臭や大気ガス汚染吸着材として有用である。
【００１８】  またモミガラ炭素化繊維は抄造紙に抄紙して、これに栄養剤を吸収させ稲の種子を凹凸紙の突起面に樹脂で塗着せしめて積合紙として巻取り、これを水田に浮上せしめて敷き詰めると簡便な田植えが行われ雑草の駆除にも利用されるので、耕運機の必要はない。
【００１９】  また道路の側面の堤の芝生の植物として、芝生の種子とモミガラ炭素化繊維とを混合し、尿素、硅皮酸、コラーゲンを混合したものを水に分散して吹き付けると、崖面の芝生の植え付けが容易となり連作障害がないばかりでなく電気通電によって加温ができるので豪雪地方の芝生植え付けに便利であり根ぐされを生じない。
【００２０】  また竹皮は細長く切断加工して高圧水蒸気処理をした瀘液は濃縮して制癌剤として利用し、瀘別脱水した固形炭素化繊維は水溶性松脂で処理して代用藁として馬の厩舎の敷物に利用すると、藁の様に有害農薬の含有量がほとんどないので安全性が高く、松脂の忌避剤によって馬が食べる心配もなく安全性が高い。
【発明を実施するための最良の形態】
【００２１】  モミガラや竹皮や笹葉を高圧水蒸気２０気圧１６５℃の温度で加熱して炭素化繊維と瀘液を濃縮して制癌剤の原料とする。またこの炭素化繊維を電気抵抗発熱材として紙状や繊維マット状に加工して袋に入れて電極を取付けて解雪材や温室の保温材に加工する。
またこの炭素化繊維にパルプスラヂと黒鉛、オイルカーボン、炭素繊維を混合して抄紙した薄葉紙に凹凸面加工したパルプ紙に稲の種子を突起部に張付けた積合紙の巻取紙を水田に敷き詰めると紙は崩壊し水田の田植えをする。
またモミガラ炭素化繊維に芝種子を混合して吹き付けると芝生の植え付けをする。
また炭素化繊維を焼成して活性炭繊維を作る。
【実施例１】
【００２２】  図１は道路の積雪層と除雪融解加熱器の側面図を示す。
モミガラ炭素化繊維粉（Ａ）（Ａ’）（Ａ”）を成型樹脂筐又はポリプロピレンフィルム袋（１）（１’）（１”）に黒鉛粉と混合して含水率８５％として調整したものを充填し、両端を密封する。次に予め篏挿した電極（２）（３）と（２）（３’）と（２”）（３”）を密封し、導線（４）（５）と（４’）（５’）と（４”）（５”）とを電極（Ｋ）（Ｋ’）（Ｋ”）に連結して炭素化繊維粉（Ａ）（Ａ’）（Ａ”）に電力を印加し、発熱せしめると内部水分は水蒸気となり袋の上面に予め穿孔した孔（６）（７）（６’）（７’）（６”）（７”）を通じて袋外に水蒸気を発生し、上部の積雪層（８）に拡散して融雪する。そして、成型樹脂筐又はポリプロピレンフィルム袋（１）（１’）（１”）の片方端には細管（９）（９’）（９”）の上部開口（９ａ）（９’ａ）（９”ａ）はジョーゴ即ち回転軸の末広管とする。
電源（Ｋ）（Ｋ’）（Ｋ”）により電力を電極（２）（３）（２’）（３’）（２”）（３”）に印加すると炭素化繊維は発熱し、５〜１０ボルトで１００〜２００アンペアーの電力を与え３０〜５０℃となると盛んに炭素化繊維含水液は加熱されて蒸気を発生して細孔（６）（７）（６’）（７’）（６”）（７”）から水蒸気を噴出せしめ、その上面の積雪の接触面を融解して水となり流下して道路面に沿って高位から低位に流れ出る。
またポリプロピレンフィルム袋（１）（１’）（１”）を台車（１ａ）（１’ａ）（１”ａ）に積載して移動式とすると、その各車の下を流れる事になる。
しかるに、融雪を速やかに行うには、細管（９）（９’）（９”）のジョーゴ（９ａ）（９’ａ）（９”ａ）から熱水か水を送り込み、炭素化繊維に十分な水液を与えると水蒸気を更に多量に発散してポリプロピレンフィルム袋（１）（１’）（１”）上面の穿孔（６）（７）（６’）（７’）（６”）（７”）から水蒸気を押し出して上面の積雪を融解する。そして、ポリプロピレンフィルム袋又は同成型体の表面の加温度が３０〜５０℃に達すると、その接触面の雪も接触した面から融雪する。融雪した水液の一部は各穿孔を通じて袋内に入り、炭素化繊維を湿潤せしめる。またジョーゴ（９ａ）（９’ａ）（９”ａ）から時々熱湯を導入すれば連続的融雪を続け、積雪を全部融解する。
一般に積雪層は断熱性であり接触加熱だけでは積雪は消失しない。特に豪雪地方では水蒸気による拡散方式を採用する事によって初めて多量の融雪を試みる事が出来る。
また融雪が終われば台車（１ａ）（１’ａ）（１”ａ）を紐で牽引きすればどこでも移動が出来る。【００２３】  図２は冬期ビニールハウスの温室の斜正面図を示し、ビニールハウス（１ｂ）の下部の土壌（２ｂ）にビニールハウス（１ｂ）をコンクリート台（３ｂ）上に架設する。
客土（４ｂ）（４’ｂ）（４”ｂ）（４’”ｂ）に敷き詰め凸出せしめ水はけをよくする。そして凹土面に含水炭素化繊維（Ａ）（Ａ’）（Ａ”）の入ったポリプロピレン袋（５ｂ）（５’ｂ）（５”ｂ）を一定間隔をおいて延長して設置し、電極と導線を取り付けて電力を印加すると客土（４ｂ）（４’ｂ）（４”ｂ）（４’”ｂ）に植え付けた苗（６ｂ）（６’ｂ）（６”ｂ）（６’”ｂ）は加温されて水蒸気を発生するので、ビニールハウス（１ｂ）内の空気は湿潤し且つ室温が上昇するので、この調節用にファン（７ｂ）を架設してハウス内の温度や湿度を電子回路で自動的に調整を行う。【００２４】  図３は多数電極加熱炭素化繊維発熱器の拡大側面図を示し、電極（２ｃ）（３ｃ）（４ｃ）（５ｃ）を一定間隔に架設し、炭素化繊維（６ｃ）をポリビニール成型袋（７ｃ）に充填して電極を接触せしめる。そして、成型袋（７ｃ）の上面に水蒸気噴出孔（８ｃ）（９ｃ）（８’ｃ）（９’ｃ）（８”ｃ）（９”ｃ）を穿設し、室内（Ａ’）を加温し、湿潤せしめる。またこの穿孔は差込み電極の位置に変更に利用し各電極の電流密度を調整せしめると部分的温度調整が可能となる。【００２５】  図４は保電用加熱体を具備する一般家屋（１ｄ）の斜正面図を示し、屋根（１’ｄ）上の瓦（２ｄ）上面に炭素化繊維紙積合板穿孔袋（３ｄ）を敷き詰め、電極（Ｋ）に導線（４ｄ）（４’ｄ）を接続して炭素化繊維積合紙（４ｄ）は徐々に発熱板穿孔袋（３ｄ）によって発熱し水蒸気を発生し、融雪して水液となって下部のトユ（５ｄ）に流れ込み排出される。（６ｄ）は沸化樹脂フィルムを示し、初期降雪時にはファン（７ｄ）によって屋根上面を吹き付けると雪は積雪とならず屋根から落下する様にすれば電力消費が３０％節減となる。【００２６】  図５は乾式発熱性風呂の斜正面図を示し、モミガラ炭素化繊維発熱袋（１Ｅ）（１’Ｅ）を風呂の浴槽（２Ｅ）内に酵素入り鋸屑または竹皮細片（３Ｅ）と共に篏挿し、モミガラ炭素化繊維袋（１Ｅ）（１’Ｅ）には電極を架設し、電源（Ｋ”）に導線で接続し電力をモミガラ炭素化繊維発熱袋（１Ｅ）（１Ｅ’）（１”Ｅ）（１’”Ｅ）に印加して発熱せしめると水蒸気を発生しながら酵素入り鋸屑や竹皮細片（３Ｅ）を加熱湿潤する。
この鋸屑や竹皮細片が４０℃に達するとモミガラ炭素化繊維袋（１”Ｅ）（１’”Ｅ）をそのままに電力を印加し、上面の発熱袋（１Ｅ）（１’Ｅ）を断電する時は、酵素の発酵熱によって４０℃の温度を保持する。この鋸屑等の中に身体全体を沈めると４０℃の保温を持続し果実皮屑やヒバ（ヒノキ）油香料を散布すると、香料により気分が壮快になる。しかし、ドライ風呂であるから次後温水シャワーで洗浄すれば入浴効果をいつまでも発揮する。この発酵熱を保持するには新しい鋸屑を入れ替えればいつまでも連続して使用される。この電圧が５ボルト２００アンペアー以上の電力を印加する時は、絶縁袋を必要とせず発熱が行われるが、安全性のためにポリプロピレン袋に入れて発熱せしめた。【００２７】  このモミガラ炭素化繊維の製造は概述の如くで、脱農薬を電子レンジで加熱して気散せしめたものを２０気圧１６５℃の温度で加熱したものを瀘別し、瀘液は濃縮して制癌原料とし、瀘別した固形物の炭素化繊維を発熱体としてまた炭素化繊維をアスペルギリウス菌と栄養剤と尿素と燐酸、塩化カルシウム、マグネシウム、糖分とを加えて７０℃で発酵せしめた発酵炭素化繊維は炭素化率を更に高め有機肥料として併用され、土壌と混合して客土としてビニールハウス栽培に併用する時は、発酵時間が９０日以上かかっていたものが３０日くらいに短縮出来る利点があり、モミガラを土壌と混合した客土の様にモミガラまでもが撥水性となり肥効性を発揮しない欠点を改善する。
この炭素化繊維を含水量８５％の状態で測定する電気抵抗値は１６０Ω／ｃｍであり、黒鉛やオイルカーボン炭素化繊維を入れると０．１Ω／ｃｍまで低下するが、融雪や風呂やビニールハウス栽培には水蒸気を発生するものがよりベターである。【００２８】  このモミガラ炭素化繊維を有機肥料とする場合の配合例は次の如くである。
例１    有機肥料
モミガラ炭素化繊維                    １００部
尿素                                      ５部
燐酸カリ                              ０．５部
酵素                                      １部
硅皮酸コラーゲン縮合粉                ０．５部
２億株／ｇアスペルギリウス菌石粉        １０部
例１の有機肥料はモミガラ炭素化繊維を地球釜に入れて先ず２０気圧１６５℃の高圧水蒸気で約１時間加熱して冷却し水槽に放出する。次にこれを瀘別機で瀘別し、瀘液は濃縮して制癌剤粗原料として回収し、米糠や乾燥オカラに吸収せしめてこれを乾燥して電子レンヂで２分間加熱して殺菌して包装する。固形物の瀘別物は炭素化繊維として電気抵抗発熱体や土壌改良材客土として利用し、更に芝の植え付け塗料や稲の種子を紙に凹凸状に成型した突起面に接着剤で塗着して乾燥し、これに他の薄葉紙を積合して長尺に巻取り、これを水田に広げて敷き詰め水に溶出せしめて種子米を自動的に落下植苗する。また電気抵抗発熱体紙や繊維マット盤を作り、ポリプロピレン成型袋に充填して電極を架設してこれに電力を印加して発熱袋とする。またこれを温室、風呂、家屋内の暖房や屋根や道路の解雪用加熱体に使用する。
例２    客土
モミガラ炭素化繊維                      ３０部
砿滓粉又は殺菌土粉                      ６０部
アスペルギリウス菌石粉                  １０部
例２の客土はマルチング法で田畑の表面に散布し土壌と混合する。
例３    電気抵抗発熱体
モミガラ炭素化繊維                    １００部
オイルカーボン粉                        ５０部
パルプ                                  １０部
例３は電気抵抗発熱体の配合例である。
例４    芝生噴霧塗料
炭素化繊維                                １００部
芝種子                                        ５部
尿素又は硫安                                  ３部
燐酸カリ                                  ０．５部
炭酸石灰                                    １０部
顔料                                          ５部
ポパール樹脂又は桂皮酸コラーゲン縮合粉    ５．５部
水                                      ３０００部
例４は芝生用塗料の配合例であるが、これは粉末炭素化繊維粉混合物を水に分散撹拌しながら吹き付けを行う。
例５    連作障害土壌改良材
炭素化繊維                                １００部
ロックウール繊維アスペルギリウス菌
（２億株／ｇ当り）石粉                      １０部
例５は土壌改良材で、特に連作障害の高原野菜に利用する。
例６    積合繊維紙
電気抵抗発熱体モミガラ炭素化繊維          １００部
黒鉛粉又はオイルカーボン粉                  ３０部
導電性樹脂                                  １０部
パルプ                                      １０部
例６は電気発熱体（屋根用繊維盤）である。一般抄紙機で抄造して繊維紙に加工して積合して作る。
例７    加熱体や吸着材
含水８０％の炭素化繊維                    １００部
和紙（コウゾ三叉繊維パルプ）                １０部
例７は風呂の発熱体や水素ガスの吸着材として利用する。
この水素ガス吸着材は自動車の水素ガス燃料の吸着材としてガス吸着し、これを加温する事によって水素ガス吸着物を放出せしめるに利用する。この加熱体は低電圧５〜１０ボルト，電流値１００〜２００アンペアーを印加すると発熱し、通電した状態でも漏電した状態でも安全であり、終始通電した上面に発酵鋸屑を敷き詰めてその上面に身体を埋め込む様にすれば砂風呂の様に年中保温性の乾式風呂が形成される。
また発酵鋸屑にニームチップの葉粉を入れるとアトピー性皮膚炎に効果があるが、ノンクロレラ、カテキンを入れるとより効果的である。【００２９】  図６は炭素化繊維の稲植付け種子付着凹凸加工紙の工程図を示し、一般クラフト紙（Ｓ）の巻紙を（１Ｆ）のロールで移送せしめ、挾着ロール（２Ｆ）（２’Ｆ）（３Ｆ）（３’Ｆ）で挾着してギロチンカッター（４Ｆ）（４’Ｆ）切断したものをプレス（５Ｆ）（５’Ｆ）により加熱圧縮して凹凸紙を成型し、巻取機で一定の長さに巻取り、巻取紙（６Ｆ）をコンベアー（７Ｆ）上にロール（８Ｆ）で抑えて回転し、樹脂塗布ロール（９Ｆ）（９’Ｆ）で樹脂を巻紙の凸面の先端（１０Ｆ）のみに樹脂又は糊で塗着し、これを誘導してコンベアー（７Ｆ）上の米種子（Ｚ）をホッパー（１１Ｆ）から下部に流下せしめたものに、凸面の先端の糊に種子（Ｚ）を圧着せしめた紙をコンベアー（７Ｆ）により搬送して乾燥器（１２Ｆ）に誘導して乾燥室（１２’Ｆ）で乾燥して巻取り、穿孔紙と積合して巻取り組合せ紙とする。【００３０】  図７は図６の積合紙の斜正面図を示し、種子付凹凸紙（Ｐ）と穿孔紙（Ｐ’）を積合する。凹凸紙（Ｐ）の凸面（１０Ｆ）紙の先端に種子（Ｚ）を付着させ、その下面に穿孔紙を積合する。【００３１】は水田の拡大部分的側面図を示し、積合紙（１Ｇ）の付着種子（Ｚ）を下部方向に向けて位置せしめ、穿孔紙（２Ｇ）の穿孔（２’Ｇ）を下部面に向けて敷き詰める。しかる時は稲の種子は水田液（３Ｇ）に浸積して沈下し、泥土（４Ｇ）上に沈着するとその種子は泥土（４Ｇ）中に沈下して発芽する。また種子付着積合紙が崩壊するまでには一定の時間を要するので雑草が混入する余地がなく稲作の手間は省略され、モミガラ炭素化繊維の凹凸紙は肥効性があり肥料の散布の必要もなく、水田液を吸着して浄化し太陽光の吸収による水温の上昇を得る。
またこの積合紙（１Ｇ）は予めニーム樹皮、ニーム葉粉、ニームアルコール抽出液を桂皮酸ポパールやワニリン、コラーゲンの忌避剤を塗着しているので、害虫を忌避し抗菌性により根ぐされ病を防ぐ効果を発揮し、有害農薬の使用を行わないですむ様にする。
この炭素化繊維にアスペルギリウス菌を混合し、炭酸カルシウム、多糖類と炭素化繊維ガラスウール、尿素を入れたものを水田に浸積すると連作障害を防止し、１年間の連作に耐える土壌が出来る。【００３２】  図９は電磁波吸収蓄積筐の正面図を示し，炭素化繊維紙にチタン酸アルコールキレート液を含浸せしめて乾燥したものを碁盤状に紙枠を入れて格子を作り、これを多数個積合した函内に電磁波（Ｍ）を照射すると、電磁波を吸収し蓄積する。これは炭素化繊維表面の酸化硅素Ｓｉｃ２Ｔｉｏ４によって電磁波エネルギーを蓄積し一定後に放出するが、電磁波が吸収されると共鳴し相互に周波数を変化し消失するので断続的電磁波を送ると負荷価値があがり利用度が増大する。
この炭素化繊維は含水８０％の炭素化繊維を通電して発熱せしめて脱水したものに、チタン酸アルコールキレート液を吹き付けて乾燥したものを３００℃で焼成したものを使用すると良い電磁波吸収体が得られる。また炭素化繊維に金属アルミニウム粉を混合して抄紙したものは、電磁波の吸収がより高くなり変換電気エネルギーを蓄積するので使用目的によって変更して選別利用する。この炭素化繊維紙は厚み０．１〜０．８ミリのものが一般的に利用される。これは携帯電話の電磁波吸収カバーに利用され、チタン酸は光合成作用がＳｉｏ２と共に保有し極めて有効に作用する。このチタン酸の代用として同じ目的にジルコニウム酸や錫酸も使用される。
図１０は電磁波吸収蓄積筐のＡ−Ｂ切断縦断面図を示す。
図９と図１０に於いて、図９と図１０の（４ｍ）は炭素化繊維紙でその表面に穿孔（４’ａｍ）を穿設し、その下部に碁盤の紙枠（２ｍ）があり、その下に同紙面（３ｍ）を敷き詰め紙枠（２’ｍ）が下部にあり、これが複数の紙枠と平面紙でサンドイッチされた構造となる。その背面に（４’ｍ）の穿孔紙面が接合されたもので、電磁波（Ｍ）がこの紙枠（２ｍ）（２’ｍ）によって直角方向に来る時に電磁波（Ｍ）の吸収が行われる。
そして、紙枠（２’ｍ）（２”ｍ）と平面紙（３ｍ）（３’ｍ）（３”ｍ）が積合して紙枠によって格子状の空間を作る。またこの電磁波吸収筐（１ｍ）は５〜２０個が縦横各１ｃｍの間隔で紙枠が作られたもので、電磁波は表面（Ｍ）として背面（Ｍ’）に貫通して吸収される。【００３３】  図１１は心電器を架設した患者の胸部に張付ける電磁波吸収盤（１Ｐ）の正面図を示し、同炭素化繊維フィルム紙（２Ｐ）が重畳されていて、紐（３Ｐ）（３’Ｐ）を左右の端に突起して接合され、ベルクロ接合剤によって圧着し衣類に固定すると携帯電話の電磁波を吸収せしめる。勿論携帯電話の外装袋として利用される事は言うまでもない。【００３４】  図１２は建材の正面図を示し、モミガラ、カラ松を高圧水蒸気２０気圧１６５℃の温度で加熱し、瀘別した炭素化繊維板である。この炭素化繊維板（１ｓ）はリグニン粉１０部に炭素化繊維を混合して２００〜３５０℃で加熱したものを３００〜１０００ｋｇ／ｃｍ圧のプレスで圧縮すると、リグニンが融着して合板が出来る。
カラ松の炭素化繊維は繊維が長いので屈曲強度は高く、圧縮強度は２５０ｋｇ／ｃｍ２である。建材のほか自動車、列車、船舶に成型して使用される。
（２ｓ）（３ｓ）は表面スチールペーパーである。【００３５】  またこのモミガラの代わりにカラ松のチップや他の木材チップも高圧水蒸気で２０気圧、１６５〜２００℃で加熱する時も同様の炭素化繊維と制癌性のリグニン、ポリフェノール、カテキン、多糖類が得られる事は言うまでない。
また竹皮を同様に細長状にカットしてこれを高圧水蒸気２０気圧、２００℃に加熱する時にも炭素化繊維と制癌性ポリフェノール液カテキン液と多糖類と共に得られ、制癌性粗材として回収し利用されるが、竹皮の炭素化繊維は藁の代用として馬床の藁敷き物の代用として使用される。また笹葉を２０気圧１６５℃で加熱すると炭素化繊維と濃縮液の抽出液は制癌剤として利用されるので、今後高圧水蒸気処理法は広い利用価値がある。
【産業上の利用可能性】
【００３６】  モミガラを土壌改良材や有機肥料として利用するには、撥水性の高い硅酸植物であるから３カ月間土壌に混合して発酵しても分解性は少なく脱窒素現象をおこしやすいから、これを一旦脱農薬したものを高圧水蒸気加熱で２０気圧１６５℃の温度で加熱処理すると撥水性はなく、発酵しやすい炭素化繊維ができ、その炭素化繊維には硅酸分子膜状で積合されているので安定した電気抵抗体を形成し繊維状の発熱体を作る。
含水液はその発熱時には断熱性と水蒸気発生に伴うので除雪に適し、また保温材に利用される。またこのモミガラの炭素化繊維の電気抵抗発熱体は風呂の保温用として使用され、１０〜２０キロワットの電力を電極間電圧５〜１０ボルト、電流１００〜２００アンペアーにより印加し発熱し、水蒸気を同時に発生せしめるから鋸屑や米糠、モミガラ、ニーム葉、ニーム樹皮、ニームチップに酵素とアスペルギリウス菌を加えて発酵し、その発酵熱を予熱とし炭素化繊維電気発熱袋を使用すると、発酵菌による発酵熱のコントロールが短時間で出来るので四季の温度変化に対して便利であり、低電圧を使用するので漏電しても危険性はなく、電気刺激を皮膚に与えて皮膚細胞の賦活に寄与しアトピー性皮膚炎に効果がある。またこの炭素化繊維パルプ、黒鉛、オイルカーボンを混合して電気抵抗体となり、またこれを抄造して製紙すると稲の種子用の紙として田植え時に水田に敷き詰めるだけで田植えの必要性もなく、自動的に移植ができ作業コストが低廉化する。
またモミガラ以外に竹皮を高圧水蒸気処理をすると制癌剤粗材として利用され、炭素化繊維は競争馬の厩舎の藁草の代用品として竹皮の細片が代用される。また有機肥料としても有用である。
【図面の簡単な説明】
【００３７】
【図１】  道路の積雪層と除雪融解加熱器の側面図
【図２】  ビニールハウスの斜正面図
【図３】  多数電極加熱炭素化繊維発熱器の拡大側面図
【図４】  保電用加熱体を具備する家屋の斜正面図
【図５】  乾式発熱性風呂の斜正面図
【図６】  炭素化繊維凹凸加工紙の工程図
【図７】  炭素化繊維凹凸加工紙の積合紙の斜正面図
【図８】  水田の拡大部分的側面図
【図９】  電磁波吸収蓄積筐の正面図
【図１０】  電磁波吸収蓄積筐のＡ−Ｂ切断縦断面図
【図１１】  電磁波吸収盤の正面図
【図１２】  建材の正面図
【図１】
2005209599.tif 000003
【図２】
2005209599.tif 000004
【図３】
2005209599.tif 000005
【図４】
2005209599.tif 000006
【図５】
2005209599.tif 000007
【図６】
2005209599.tif 000008
【図７】
2005209599.tif 000009
【図８】
2005209599.tif 000010
【図９】
2005209599.tif 000011
【図１０】
2005209599.tif 000012
【図１１】
2005209599.tif 000013
【図１２】
2005209599.tif 000014